(57)【要約】【課題】立てたり振ったりするとき電波が発射されるペン等の棒状体を提供すること。【解決手段】ペン等の棒状体を立てたり振ったりするとき重り４をスライドさせ、このスライド動作で発電機５が発電して無線送信機６に電力が供給され電波が発射されるようにする。【選択図】  図１
2004241956.tif 000002
【特許請求の範囲】
【請求項１】
ペン、杖、ペンキャップ等の長尺形状の棒本体と、該棒本体内に該棒本体の長手方向に沿って設けられたガイドレールと、該ガイドレールに沿ってスライド可能な重りと、該重りのスライドに連動して発電する発電機と、該発電機の発電により電力を供給されて電波を発射する無線送信機とを具備することを特徴とする送信機付き棒状体。
【請求項２】
請求項１に記載の送信機付き棒状体において、
前記重りと一体化されたラックが前記ガイドレールに沿って移動可能に設けられ、前記発電機の回転子と同軸に設けられた歯車を前記ラックに噛み合わせたことを特徴とする送信機付き棒状体。
【請求項３】
ペン、杖、ペンキャップ等の長尺形状の棒本体と、該棒本体内に該棒本体の長手方向に沿って設けられたガイドレールと、該ガイドレールに沿ってスライド可能な重りと、電池と、前記重りのスライドに連動してオンするスイッチと、該スイッチのオンにより前記電池から電力が供給されて電波を発射する無線送信機とを具備することを特徴とする送信機付き棒状体。
【発明の詳細な説明】
【０００１】
【発明の属する技術分野】
本発明は、無線送信機付のペン、杖、ペンキャップ等の棒状体に関するものである。
【０００２】
【従来の技術】
一人暮らしの老人などについて、その親近者やヘルパーなどが毎日訪問できればその健康状態を確認することができるが、数日に１回程度の訪問では安否について不安が残る場合がある。
【０００３】
腕を振ることにより発電する発電機構を内蔵した腕時計が知られており、このような発電機構を無線送信機に内蔵させて、上記のような老人に装着してもらうことにより、その老人の安否情報を得ることができる。
【０００４】
【発明が解決しようとする課題】
しかしながら、時計用の発電機は図４に示すように、ケース１０１内に設けた円形の回転錘１０２を回転させることによりマグネット回転子１０３を回転させてコイル１０４に電圧を誘起させ電力を発生させる構造であり、腕の振りにより無線送信機に要求される１ｍＷ程度の電力を発生させるためには、上記構造の発電機では全体形状が大きくなるという問題がある。
【０００５】
そこで本発明の目的は、日常的に使用される筆記用のペンを持つような自然な操作で無線電波が発射されるようにし、上記した問題を解決した送信機付き棒状体を提供することである。
【０００６】
【課題を解決するための手段】
請求項１にかかる発明は、ペン、杖、ペンキャップ等の長尺形状の棒本体と、該棒本体内に該棒本体の長手方向に沿って設けられたガイドレールと、該ガイドレールに沿ってスライド可能な重りと、該重りのスライドに連動して発電する発電機と、該発電機の発電により電力を供給されて電波を発射する無線送信機とを具備することを特徴とする送信機付き棒状体とした。
【０００７】
請求項２にかかる発明は、請求項１に記載の送信機付き棒状体において、前記重りと一体化されたラックが前記ガイドレールに沿って移動可能に設けられ、前記発電機の回転子と同軸に設けられた歯車を前記ラックに噛み合わせたことを特徴とする送信機付き棒状体とした。
【０００８】
請求項３にかかる発明は、ペン、杖、ペンキャップ等の長尺形状の棒本体と、該棒本体内に該棒本体の長手方向に沿って設けられたガイドレールと、該ガイドレールに沿ってスライド可能な重りと、電池と、前記重りのスライドに連動してオンするスイッチと、該スイッチのオンにより前記電池から電力が供給されて電波を発射する無線送信機とを具備することを特徴とする送信機付き棒状体とした。
【０００９】
【発明の実施の形態】
図１は本発明の１つ実施形態の送信機付きペンの要部の構成を示す説明図、図２はその回路図である。図１において、１は胴部が円筒形状のペン本体（ペン先部分は省略した。）、２は両端にストッパ２１、２２が形成されたガイドレール、３は等間隔に同形の歯を長手方向に等ピッチで並べたラック、４はそのラック３と一体化された重り、５はラック３の歯に噛み合う歯車５１を有する発電機、６は無線送信機である。
【００１０】
ガイドレール２はペン本体１の内部において長手方向に固定され、そのガイドレール２に対してラック３と重り４がスライド可能に設けられている。発電機５と無線送信機６はペン本体１に対して固定されている。
【００１１】
図２において、発電機５は、歯車５１の回転により回転するように該歯車５１と同軸のマグネット回転子５２と、そのマグネット回転子５２の回転により磁束が変化することで電圧を誘起する発電コイル５３と、その発電コイル５３に流れる電流を全波整流する整流回路５４と、その整流回路５４で整流された電圧を１Ｖ程度の直流電圧に平滑する平滑回路５５とを有する。なお、この発電機５は、マグネットが固定で発電コイルが回転する形式のものでもよい。
【００１２】
無線送信機６はＳＯＩ構造のＬＳＩ等から構成され、極低電圧（１Ｖ程度）、低電力（１ｍＷ程度）で動作して所定周波数（例えば、３００ＧＨｚ帯或いはＢｌｕｅｔｏｏｔｈ近距離無線用周波数）の微弱電波を送信する送信機であり、その電源には発電機５で発生された電圧（１Ｖ，１ｍＷ程度）を使用している。
【００１３】
そして、無線送信機６は、発電機５の出力直流電圧を電源として入力して動作し所定周波数の信号を発振する発振回路６１と、前記出力直流電圧を前記同様に電源として入力して動作し発振回路６１の発振周波数信号をそのまま送信し又は増幅して送信し又は所望の方式で変調して送信する送信回路６２と、電波放射用のアンテナ６３とを有する。
【００１４】
以上により、本実施の形態では、ペン本体１を垂直に立てると、重り４の自重によってラック３がガイドレール２に沿って下方向にスライドし、これによりラック３に噛み合った歯車５１が回転し、マグネット回転子５２が回転して発電が行われ直流電力を無線送信機６に供給するため、予め決められた周波数の微弱電波がその無線送信機６から発射される。また、ペン本体１を反対にして垂直に立てた場合、あるいは振った場合も同様に重り４が移動して発電され電波が発射される。
【００１５】
したがって、ペンで字を書いたり絵を描いたり振ったりする日常生活の自然の動作によって電波が発射されるので、この電波を受信検知する受信機を近くに設置しておくことにより、そこでの人の存在情報を採取することが可能となる。よって、受信機で得られた情報を電話システムその他のネットワークに接続しておけば、遠隔地からもその存在情報を採取でき、一人暮らしの老人などについて、安否確認ための１つの手段として有効となる。
【００１６】
なお、以上の実施形態では電源として発電機５を使用したが、図３に示すように、乾電池やボタン電池等の電池７を使用することもできる。この場合は、ラック３と歯車５１は必ずしも必要なく、重り４をペン本体１内にガイドレール２に沿って所定の距離範囲だけ移動可能に設けておいて、その重り４の移動に連動して接点がオンするスイッチ８をガイドレール２の近傍に設け、このスイッチ８を電池７と無線送信機６との間に接続すればよい。
【００１７】
また、以上の実施形態ではペン本体１内に発電機５と無線送信機６を設けたが、室内で使用する杖、ペンキャップその他日常的に手にする棒状体に設けてもよい。
【００１８】
また、以上では発電機５の蓄電機能については言及しなかったが、平滑回路５５の出力側に蓄電用キャパシタ等を接続して蓄電機能を具備させてもよい。
【００１９】
【発明の効果】
以上から本発明によれば、日常使用するペン等の棒状体を立てたり振ったりする日常生活の自然の動作によって電波が発射されるので、この電波を受信検知する受信機を近くに設置しておくことにより、そこでの人の存在情報を採取することが可能となる。このときペン等の棒状体を使用する人は送信機へのインターフェイスを意識する必要はない。よって、受信機で得られた情報を電話システムその他のネットワークに接続しておけば、遠隔地からも人の存在情報を採取でき、一人暮らしの老人などの安否確認ための１つの手段として有効となる。
【図面の簡単な説明】
【図１】本発明の１つの実施形態の送信機付ペンの要部の構成を示す説明図である。
【図２】図１のペン本体に設けられる発電機と無線送信機の構成を示すブロック図である。
【図３】発電機に代えて電池を使用する場合の電池と無線送信機を接続する構成のブロック図である。
【図４】従来の自動巻き腕時計の発電機構部分の説明図である。
【符号の説明】
１：ペン本体
２：ガイドレール
２１、２２：ストッパ
３：ラック
４：重り
５：発電機
５１：歯車、５２：マグネット回転子、５３：発電コイル、５４：全波整流回路、５５：平滑回路
６：無線送信機
６１：発振回路、６２：送信回路、６３：アンテナ
７：電池
８：スイッチ
【図１】
2004241956.tif 000003
【図２】
2004241956.tif 000004
【図３】
2004241956.tif 000005
【図４】
2004241956.tif 000006